(57)【要約】【課題】ユーザが携帯電話に直接触れることなく、離れた場所からこれを操作するための携帯電話用無線端末装置を提供する。【解決手段】制御部１０１はユーザから着信音停止を入力キーボード部１０５を経由して受付け、無線部１０２と、アンテナ１０３とを経由して外部の携帯電話へ着信音の停止を要求する信号を送信する。制御部１０１は無線部１０２と、アンテナ１０３とを経由して携帯電話から“停止ＯＫ”を受信し、無線部１０２と、アンテナ１０３とを経由して携帯電話に着信情報の送信を要求してこれを受信し、表示部１０４に着信情報を出力して表示する。【選択図】図１
2008136196.tif 000002
【特許請求の範囲】
【請求項１】
ユーザからの要求を受け付ける入力キーボード部と、
携帯電話と無線信号の送受信を行う無線部と、
データを入力して表示する表示部と、
ユーザから携帯電話の着信音停止要求を前記入力キーボード部を経由して入力し、前記無線部を経由して前記携帯電話に着信音の停止と、着信情報の送信とを要求し、前記無線部を経由して前記着信情報を得た時、前記着信情報を前記表示部に出力して表示させる制御部と、
無線の通信状態を常時通信可能な状態に維持せず、電源をオンにした時のみ無線通信状態を確立する電源投入手段と、
処理完了後に所定の時間が経過した時、前記無線通信可能状態を解除し、制御機能部分以外の電源を停止する電源停止手段と、
を具備することを特徴とする携帯電話用無線端末装置。
【請求項２】
ユーザからの要求を受け付ける入力キーボード部と、
携帯電話と無線信号の送受信を行う無線部と、
データを入力して表示する表示部と、
ユーザから電子メール読み出し要求を前記入力キーボード部を経由して入力し、前記無線部を経由して前記携帯電話にメールの読み出し要求を送信して前記携帯電話が受信した未読の電子メールのデータを得て、前記未読の電子メールを前記表示部に出力して表示させる制御部と、
無線の通信状態を常時通信可能な状態に維持せず、電源をオンにした時のみ無線通信状態を確立する電源投入手段と、
処理完了後に所定の時間が経過した時、前記無線通信可能状態を解除し、制御機能部分以外の電源を停止する電源停止手段と、
を具備することを特徴とする携帯電話用無線端末装置。
【請求項３】
ユーザからの要求を受け付ける入力キーボード部と、
携帯電話と無線信号の送受信を行う無線部と、
データを入力して表示する表示部と、
ユーザから着信履歴の表示の要求を前記入力キーボード部を経由して入力し、前記無線部を経由して前記携帯電話に着信履歴情報の送信を要求して前記着信履歴情報を得て、前記着信履歴情報を前記表示部に出力して表示させる制御部と、
無線の通信状態を常時通信可能な状態に維持せず、電源をオンにした時のみ無線通信状態を確立する電源投入手段と、
処理完了後に所定の時間が経過した時、前記無線通信可能状態を解除し、制御機能部分以外の電源を停止する電源停止手段と、
を具備することを特徴とする携帯電話用無線端末装置。
【請求項４】
ユーザからの要求を受け付ける入力キーボード部と、
携帯電話と無線信号の送受信を行う無線部と、
データを入力して表示する表示部と、
ユーザから携帯電話の設定変更の開始要求を前記入力キーボード部を経由して受けて、前記無線部を経由して前記携帯電話に設定情報の送信を要求して前記設定情報を得て、前記設定情報を前記表示部に出力し、前記ユーザから設定変更の指示を前記入力キーボード部を経由して入力した時、前記無線部を経由して前記携帯電話に設定変更の要求を送信する制御部と、
無線の通信状態を常時通信可能な状態に維持せず、電源をオンにした時のみ無線通信状態を確立する電源投入手段と、
処理完了後に所定の時間が経過した時、前記無線通信可能状態を解除し、制御機能部分以外の電源を停止する電源停止手段と、
を具備することを特徴とする携帯電話用無線端末装置。
【請求項５】
ユーザからの要求を受け付ける入力キーボード部と、
携帯電話と無線信号の送受信を行う無線部と、
データを入力して表示する表示部と、
信号を入力して音を出すスピーカー部と、
ユーザから留守番録音の再生の要求を前記入力キーボード部を経由して入力し、前記無線部を経由して前記携帯電話に留守録情報の送信を要求して前記留守録情報を得て、前記留守録情報から音声信号を生成し、前記音声信号を前記スピーカー部に出力する制御部と、
無線の通信状態を常時通信可能な状態に維持せず、電源をオンにした時のみ無線通信状態を確立する電源投入手段と、
処理完了後に所定の時間が経過した時、前記無線通信可能状態を解除し、制御機能部分以外の電源を停止する電源停止手段と、
を具備することを特徴とする携帯電話用無線端末装置。
【発明の詳細な説明】
【技術分野】
【０００１】
本発明は、携帯電話を離れた場所から操作するための携帯電話用無線端末装置に関する。
【背景技術】
【０００２】
携帯電話の利用者は携帯電話を常に身につけているわけではなく、かばんの中に入れて持ち歩くケースや、会社などでの勤務時間中には机やロッカーの中に収納しているケースも多くある。このような使用方法において問題となる点として、利用者が携帯電話の電源を切り忘れた場合がある。会社の中で会議中に携帯電話の着信音が鳴り出すことはしばしばある。利用者がかばんの中に携帯電話を入れたままであれば、携帯電話を取り出して電話に出るまでには時間がかかるため、会議の進行に水をさすことになる。しかし、従来の技術では携帯電話の着信音を止めるなどの操作を行うには、ユーザは携帯電話に直接触れる必要があり、問題となっていた。
また、従来の技術ではユーザは携帯電話のマナーモードでは着信を切り、バイブレーターを体から離している状態では、着信を知ることができない。このため、ユーザは携帯電話の着信状態や電子メールの着信状態を定期的に調べるために、携帯電話をかばん等の中から取り出す必要があり、煩わしさを多分に感じる問題点があった。
【０００３】
なお、従来の技術としては特許文献１〜６に記載されるものが知られている。特許文献１〜４は携帯電話の送信する電波の人体への影響を防ぐためのものであり、上記の問題を解決するものではない。特許文献５は携帯電話で外部の機器をコントロールするものである。また、特許文献６はＰＤＡ（Ｐｅｒｓｏｎａｌ  Ｄａｔａ  Ａｓｓｉｓｔａｎｔ）をターゲットにした技術であり、本発明の課題である携帯電話に関する問題点を解決するものではない。
【特許文献１】特開２０００−２０９６５７号公報
【特許文献２】特開２０００−３１８６０号公報
【特許文献３】特開２０００−２９９７２０号公報
【特許文献４】特開平１０−１３３３４号公報
【特許文献５】特開２００３−７８９７２号公報
【特許文献６】特開２００３−１５２８４２号公報
【発明の開示】
【発明が解決しようとする課題】
【０００４】
本発明は上記の事情を考慮してなされたもので、その目的は、ユーザが携帯電話に直接触れることなく、離れた場所からこれを操作するための携帯電話用無線端末装置を提供することである。
【課題を解決するための手段】
【０００５】
この発明は前述の課題を解決するためになされたもので、ユーザからの要求を受け付ける入力キーボード部と、携帯電話と無線信号の送受信を行う無線部と、データを入力して表示する表示部と、ユーザから携帯電話の着信音停止要求を前記入力キーボード部を経由して入力し、前記無線部を経由して前記携帯電話に着信音の停止と、着信情報の送信とを要求し、前記無線部を経由して前記着信情報を得た時、前記着信情報を前記表示部に出力して表示させる制御部と、無線の通信状態を常時通信可能な状態に維持せず、電源をオンにした時のみ無線通信状態を確立する電源投入手段と、処理完了後に所定の時間が経過した時、前記無線通信可能状態を解除し、制御機能部分以外の電源を停止する電源停止手段と、を具備することを特徴とする携帯電話用無線端末装置である。
【０００６】
また、ユーザからの要求を受け付ける入力キーボード部と、携帯電話と無線信号の送受信を行う無線部と、データを入力して表示する表示部と、ユーザから電子メール読み出し要求を前記入力キーボード部を経由して入力し、前記無線部を経由して前記携帯電話にメールの読み出し要求を送信して前記携帯電話が受信した未読の電子メールのデータを得て、前記未読の電子メールを前記表示部に出力して表示させる制御部と、無線の通信状態を常時通信可能な状態に維持せず、電源をオンにした時のみ無線通信状態を確立する電源投入手段と、処理完了後に所定の時間が経過した時、前記無線通信可能状態を解除し、制御機能部分以外の電源を停止する電源停止手段と、を具備することを特徴とする携帯電話用無線端末装置である。
【０００７】
また、ユーザからの要求を受け付ける入力キーボード部と、携帯電話と無線信号の送受信を行う無線部と、データを入力して表示する表示部と、ユーザから着信履歴の表示の要求を前記入力キーボード部を経由して入力し、前記無線部を経由して前記携帯電話に着信履歴情報の送信を要求して前記着信履歴情報を得て、前記着信履歴情報を前記表示部に出力して表示させる制御部と、無線の通信状態を常時通信可能な状態に維持せず、電源をオンにした時のみ無線通信状態を確立する電源投入手段と、処理完了後に所定の時間が経過した時、前記無線通信可能状態を解除し、制御機能部分以外の電源を停止する電源停止手段と、を具備することを特徴とする携帯電話用無線端末装置である。
【０００８】
また、ユーザからの要求を受け付ける入力キーボード部と、携帯電話と無線信号の送受信を行う無線部と、データを入力して表示する表示部と、ユーザから携帯電話の設定変更の開始要求を前記入力キーボード部を経由して受けて、前記無線部を経由して前記携帯電話に設定情報の送信を要求して前記設定情報を得て、前記設定情報を前記表示部に出力し、前記ユーザから設定変更の指示を前記入力キーボード部を経由して入力した時、前記無線部を経由して前記携帯電話に設定変更の要求を送信する制御部と、無線の通信状態を常時通信可能な状態に維持せず、電源をオンにした時のみ無線通信状態を確立する電源投入手段と、処理完了後に所定の時間が経過した時、前記無線通信可能状態を解除し、制御機能部分以外の電源を停止する電源停止手段と、を具備することを特徴とする携帯電話用無線端末装置である。
【０００９】
また、ユーザからの要求を受け付ける入力キーボード部と、携帯電話と無線信号の送受信を行う無線部と、データを入力して表示する表示部と、信号を入力して音を出すスピーカー部と、ユーザから留守番録音の再生の要求を前記入力キーボード部を経由して入力し、前記無線部を経由して前記携帯電話に留守録情報の送信を要求して前記留守録情報を得て、前記留守録情報から音声信号を生成し、前記音声信号を前記スピーカー部に出力する制御部と、無線の通信状態を常時通信可能な状態に維持せず、電源をオンにした時のみ無線通信状態を確立する電源投入手段と、処理完了後に所定の時間が経過した時、前記無線通信可能状態を解除し、制御機能部分以外の電源を停止する電源停止手段と、を具備することを特徴とする携帯電話用無線端末装置である。
【発明の効果】
【００１０】
本発明によれば、ユーザは携帯電話がかばんの中に入っている状態などであっても、着信音が鳴っている場合には携帯電話をかばんに入れたまま、これに直接触れずに着信音を停止させ、また、誰から電話がかかってきたのかを確認できる効果がある。
また、本発明によれば、ユーザは携帯電話がかばんの中に入っている状態などであっても、未読の電子メールを確認できる効果がある。
また、本発明によれば、ユーザは携帯電話がかばんの中に入っている状態などであっても、着信履歴を確認できる効果がある。
また、本発明によれば、ユーザは携帯電話がかばんの中に入っている状態などであっても、携帯電話の設定を変更できる効果がある。
また、本発明によれば、ユーザは携帯電話がかばんの中に入っている状態などであっても、留守番録音を確認できる効果がある。
【００１１】
また、本発明によれば、端末装置使用時以外の無線通信による消費電力を無くすことができる効果がある。
【発明を実施するための最良の形態】
【００１２】
以下、図面を参照し、この発明の実施の形態について説明する。
図８は本実施の形態における処理の一つであるメール読み出し処理について説明する図であるが、本実施の形態は、この図のように携帯電話２００と、これを遠隔操作するための携帯電話用無線端末装置（以下、端末装置という）１００とから構成される。図１はこの端末装置１００の構成を表すブロック図であり、図２はユーザがこれを操作するためのボタン配置を表している。また、図４は携帯電話２００の構成を表すブロック図である。
【００１３】
端末装置１００はユーザの要求に応じて無線電波を送受信して携帯電話２００を操作する装置である。この端末装置１００において、制御部１０１は端末装置１００の各部の制御を行う。制御部１０１についての詳細は後述する。表示部１０４は制御部１０１からデータを入力して表示を行う（図２参照）。入力キーボード部１０５はユーザの操作を受け、ユーザ操作に対応する指示を制御部１０１へ出力する。
【００１４】
音源部１０６は制御部１０１からの指示に基づき、３種類の楽音信号を生成し、アンプ１０７へ出力する。この３種類の楽音信号は、携帯電話２００に着信があった場合と、メッセージが残されている場合と、未読の電子メールがある場合とのそれぞれをユーザに伝えるためのものである。アンプ１０７は音源部１０６から出力される楽音信号を増幅し、スピーカー部１０９へ出力する。スピーカー部１０９はアンプ１０７から信号を入力して発音する。無線部１０２は制御部１０１からデータを入力し、アンテナ１０３を経由して携帯電話２００に電波信号を送信し、また、携帯電話２００からアンテナ１０３を経由して電波信号を受信し、この電波信号に基づくデータを制御部１０１へ出力する。アンテナ１０３は電波の送受信のためのアンテナである。メモリー１０８は記憶領域であり、バッテリー１１０は端末装置１００の各部に電源を供給する。
【００１５】
また、ユーザは図２に示される３個のボタンを押下して端末装置１００を操作する。確認ボタン１２０はユーザが端末装置１００の電源を入れる場合や、表示部上の項目の決定を指示する場合などに押下する。選択ボタン１２１ａと、選択ボタン１２１ｂとは項目選択用のボタンであり、表示部１０４に表示された項目を選ぶ場合に操作される。
【００１６】
図４において、符号１１は携帯電話２００の各部を制御するＣＰＵ（Ｃｅｎｔｒａｌ  
Ｐｒｏｃｅｓｓｉｎｇ  Ｕｎｉｔ）であり、詳細は以降に記述する。通信部１８はＣＰＵ１１の指示を受けてアンテナ１９を経由して外部の基地局と電波の送受信を行う。ＲＡＭ（Ｒａｎｄｏｍ  Ａｃｃｅｓｓ  Ｍｅｍｏｒｙ）１３は携帯電話２００の使用する一時的なデータを格納するための記憶領域であり、着信履歴情報などの格納に使用される。ＲＯＭ（Ｒｅａｄ  Ｏｎｌｙ  Ｍｅｍｏｒｙ）１２はＣＰＵ１１のプログラムおよび携帯電話の固有のデータなどを格納するための記憶領域である。ディスプレイ１４は液晶表示パネルおよび表示制御回路から構成される携帯電話２００の表示部である。
【００１７】
操作部１５は電話番号等の入力を受け付ける。バイブレータ１６は、携帯電話２００に着信があった場合に振動を発生させ、ユーザに着信を伝える。音声処理部２０はユーザが通話を行う際に、マイクロフォン２１が出力した音声信号をデジタルデータに変換し、さらに圧縮して送信データを得て、これを通信部１８へ出力し、また、通信部１８が受信して出力した受信データを伸張し、さらにアナログ信号に変換して音声信号を得て、これをスピーカー２２へ出力する。着信音発生部２３は着信時にＣＰＵ１１の指示に基づいて着信音信号または着信メロディを形成してスピーカー２４へ出力する。近距離通信部２５はアンテナ２６を有する無線通信部であり、ＣＰＵ１１の指示に基づいて端末装置１００とのデータの送受信を行う。
【００１８】
本実施の形態においては、端末装置１００は携帯電話２００と無線通信を行う。図３はこの無線通信を行うための端末装置１００のソフトウェア構成を表している。図３のＲＦ（Ｒａｄｉｏ  Ｆｒｅｑｕｅｎｃｙ）物理層は実際の無線電波を送受信する。ベースバンド層は上位層のプログラムから受け取るデータを送受信するための通信リンクを提供するプロトコルである。論理リンク通信リンク管理層は通信リンクの管理や通信リンクに必要なパラメータの設定、あるいは上位のアプリケーション層が出力するデータからなる論理チャネルの管理を行うプロトコルである。適合プロトコルは上位のアプリケーション層と、下位の論理リンク通信リンク管理層との橋渡しを行う。アプリケーション層はアプリケーションプログラムがこれに該当し、本実施の形態では主にこの部分の処理の流れを説明している。
【００１９】
次に、図を参照して本実施形態における端末装置の動作について説明する。以降では、本実施の形態における共通処理である通信手順と、着信音オフおよび着信情報表示処理と、メール読み出し処理と、着信履歴確認処理と、留守録呼び出し処理と、定期自動状態確認処理と、携帯電話設定変更処理とについて説明する。図６は本実施の形態の処理の流れを表している。
【００２０】
＜通信手順＞
図５と、図６のステップＳ２０１〜Ｓ２０３は本実施の形態における通信手順を表すフローチャートである。この処理は他の処理の前後に行うものである。
ユーザの要求に基づいて、あるいは所定の時間間隔で端末装置１００が携帯電話２００と通信処理を開始する場合、端末装置１００の電源が入った後に（図６のステップＳ２０１）制御部１０１は、無線部１０２と、アンテナ１０３とを経由して携帯電話２００に通信開始を要求する信号であるページ信号を送信（図６のステップＳ２０２、図５のステップＳＡ０２）する。
【００２１】
外部からの信号の受信待ちを行っていた携帯電話２００のＣＰＵ１１はアンテナ２６と、近距離通信部２５とを経由して端末装置１００が送信したページ信号を受信し（図５のステップＳＢ０１）、応答信号をアンテナ２６と、近距離通信部２５とを経由して端末装置１００へ送信する（図５のステップＳＢ０２）。
端末装置１００の制御部１０１は無線部１０２と、アンテナ１０３とを経由して携帯電話２００から応答信号を受信し、通信リンク確立に必要な情報をメモリー１０８から読み出し、無線部１０２と、アンテナ１０３とを経由して携帯電話２００へ送信する（図５のステップＳＡ０３）。
【００２２】
携帯電話２００のＣＰＵ１１はアンテナ２６と、近距離通信部２５とを経由して端末装置１００が送信した通信リンク確立に必要な情報を受信し、応答信号をアンテナ２６と、近距離通信部２５とを経由して端末装置１００へ送信し（図５のステップＳＢ０３）、端末装置１００との通信リンクが確立したと判断する（図５のステップＳＢ０４）。
端末装置１００の制御部１０１は無線部１０２と、アンテナ１０３とを経由して携帯電話２００から応答信号を受信し、携帯電話２００との通信リンクが確立したことを確認する（図６のステップＳ２０３、図５のステップＳＡ０４）。
【００２３】
続いて、端末装置１００はユーザの要求などに基づいて端末装置１００とのデータの送受信を行い（図５のステップＳＡ０５〜ＳＡ０８，ＳＢ０５〜ＳＢ０７）、処理完了後には、一定時間経過後にユーザからの操作などを待たずに電源を停止する（図５のステップＳＡ０９）。携帯電話２００も端末装置１００を経由したユーザからの指示などを待たずに、再び外部からの信号の受信待ちを行う（図５のステップＳＢ０８）。
【００２４】
＜着信音オフおよび着信情報表示処理＞
図６と、図７とは本処理の流れを表している。
端末装置１００のユーザは、いま、例えば企業などでの会議中にかばんの中に収納している携帯電話２００が着信音を出していることに気付き、すぐに端末装置１００の入力キーボード部１０５の確認ボタン１２０を押下して端末装置１００の電源を入れる（図６のステップＳ２０１）。
ここで、図６のステップＳ２０３までは前述の通信手順のとおりである。携帯電話２００との通信が確立した後、制御部１０１は、現在実行中の処理が定期自動状態確認処理であるか、否かをチェックする（図６のステップＳ２０４）。制御部１０１はこの場合の処理は定期自動状態確認処理ではないことを確認する（図６のステップＳ２０４が”Ｎｏ”）。
【００２５】
次に、制御部１０１は、携帯電話２００が着信呼び出し中であるか否かの確認要求を無線部１０２と、アンテナ１０３とを経由して携帯電話２００へ送信する。携帯電話２００のＣＰＵ１１はアンテナ２６と、近距離通信部２５とを経由して端末装置１００が送信した携帯電話２００が着信呼び出し中であるか否かの確認要求を受信し、着信呼び出し中であることを表す“着信呼び出し中”をアンテナ２６と、近距離通信部２５とを経由して端末装置１００へ送信する。
【００２６】
次に、制御部１０１は無線部１０２と、アンテナ１０３とを経由して携帯電話２００から“着信呼び出し中”を受信し、携帯電話２００が着信呼び出し中であることを確認する（図６のステップＳ２０５が”Ｙｅｓ”）。そこで、制御部１０１は、携帯電話２００の着信音を止めるため、着信メロディーオフ命令を無線部１０２と、アンテナ１０３とを経由して携帯電話２００へ送信する（図６のステップＳ２１０、図７のステップＳ７１ａ）。携帯電話２００のＣＰＵ１１はアンテナ２６と、近距離通信部２５とを経由して端末装置１００が送信した着信メロディーオフ命令を受信し、着信音発生部２３に着信音の出力停止を出力する。ＣＰＵ１１からの指示を受けて、着信音発生部２３は着信音の出力を停止する。
【００２７】
次に、ＣＰＵ１１は“停止ＯＫ”を、アンテナ２６と、近距離通信部２５とを経由して端末装置１００へ送信する（図７のステップＳ７１ｂ）。
端末装置１００の制御部１０１は無線部１０２と、アンテナ１０３とを経由して携帯電話２００から“停止ＯＫ”を受信し、続いて先ほど電話をかけてきたのが誰であるのかをユーザに教えるため、無線部１０２と、アンテナ１０３とを経由して最後の着信に関する情報である着信情報を要求する信号を送信する。
【００２８】
携帯電話２００のＣＰＵ１１はアンテナ２６と、近距離通信部２５とを経由して端末装置１００が送信した着信情報を要求する信号を受信し、ＲＡＭ１３から着信情報を読み出し、アンテナ２６と、近距離通信部２５とを経由して端末装置１００へこのデータを送信する。
端末装置１００の制御部１０１は無線部１０２と、アンテナ１０３とを経由して携帯電話２００から着信情報を受信し、この内容を表示部１０４へ出力して表示する（図６のステップＳ２１１、図７のステップＳ７２）。ユーザは表示部１０４の表示内容を確認し、誰が電話をかけたのかを知ることができる。
その後、所定の時間経過後に、端末装置１００の制御部１０１は端末装置１００の消費電力の節約のため、制御部１０１以外への電源供給を停止する（図６のステップＳ２１２）。
【００２９】
＜メール読み出し処理＞
図６と、図８とは本処理の流れを表している。これらを参照して説明する。ユーザはメール読み出しを行おうと思った場合、確認ボタン１２０を押下して端末装置１００の電源を入れる（図６のステップＳ２０１）。図６のステップＳ２０３までの処理は前述と同様である。このため、図６のステップＳ２０４以降の処理に関して説明する。
【００３０】
端末装置１００の制御部１０１は、現在実行中の処理が定期自動状態確認処理であるか、否かをチェックし（図６のステップＳ２０４）、この場合の処理は定期自動状態確認処理ではないことを確認する（図６のステップＳ２０４が”Ｎｏ”）。次に、制御部１０１は、携帯電話２００が着信呼び出し中であればメールの読み出しはできないため、携帯電話２００が着信呼び出し中であるか否かの確認要求を無線部１０２と、アンテナ１０３とを経由して携帯電話２００へ送信する。携帯電話２００のＣＰＵ１１はアンテナ２６と、近距離通信部２５とを経由して端末装置１００が送信した携帯電話２００が着信呼び出し中であるか否かの確認要求を受信し、着信呼び出し中で無い場合には、“着信待ち状態”をアンテナ２６と、近距離通信部２５とを経由して端末装置１００へ送信する。携帯電話２００が着信呼び出し中であるケースについては、着信音オフおよび着信情報表示処理の説明において記述したとおりである。
【００３１】
次に、制御部１０１は無線部１０２と、アンテナ１０３とを経由して携帯電話２００から“着信待ち状態”を受信し、携帯電話２００が着信呼び出し中で無いことを確認する（図６のステップＳ２０５が”Ｎｏ”）。次に、制御部１０１は携帯電話２００が通話可能な圏内にあるか否か、あるいは、受信済みの電子メールの件数などの携帯電話２００の内部状態の確認を行う。このために、制御部１０１は無線部１０２と、アンテナ１０３とを経由して携帯電話２００へ内部状態読み出し要求を送信する（図８のステップＳ３２ａ）。
携帯電話２００のＣＰＵ１１はアンテナ２６と、近距離通信部２５とを経由して端末装置１００が送信した内部状態読み出し要求を受信する。そして、ＣＰＵ１１は近距離通信部２５に電波状態の確認を要求して携帯電話２００が圏内にあるか否かを確認し、また、ＲＡＭ１３から未読の電子メールを読み出して件数を確認するなどして携帯電話２００の内部状態を確認し、これらの結果の情報を含む内部状態情報を生成してアンテナ２６と、近距離通信部２５とを経由して端末装置１００へこれを送信する。
【００３２】
次に、制御部１０１は無線部１０２と、アンテナ１０３とを経由して携帯電話２００から内部状態情報を受信し、この内容を表示部１０４へ出力してユーザに対して表示する（図６のステップＳ２０６、図８のステップＳ３２ｂ）。
ユーザは端末装置１００の表示部１０４の表示を確認し、入力キーボード部１０５上の選択ボタン１２１ａと、選択ボタン１２１ｂと、確認ボタン１２０とを適宜押下して端末装置１００にメールの一覧表示を指示する。
次に、制御部１０１は入力キーボード部１０５を経由してユーザの指示を受け、この指示が携帯電話２００の設定変更の要求ではないことを確認し（図６のステップＳ２０７が”Ｎｏ”）、無線部１０２と、アンテナ１０３とを経由して携帯電話２００へ未読メールの一覧情報要求を送信する（図８のステップＳ３３ａ）。
【００３３】
携帯電話２００のＣＰＵ１１はアンテナ２６と、近距離通信部２５とを経由して端末装置１００が送信した未読メールの一覧情報要求を受信し、ＲＡＭ１３から未読メールの一覧情報を読み出し、アンテナ２６と、近距離通信部２５とを経由して端末装置１００へこのデータを送信する（図８のステップＳ３３ｂ）。
端末装置１００の制御部１０１は無線部１０２と、アンテナ１０３とを経由して携帯電話２００から未読メールの一覧情報を受信し、未読メールの一覧を表示部１０４へ出力して表示する。
【００３４】
ユーザは端末装置１００の表示部１０４の表示を確認し、入力キーボード部１０５上の選択ボタン１２１ａと、選択ボタン１２１ｂと、確認ボタン１２０とを適宜押下して端末装置１００に１件目の未読メールの読み出しを指示する。
次に、制御部１０１は入力キーボード部１０５を経由してユーザの指示を受け、無線部１０２と、アンテナ１０３とを経由して携帯電話２００へ１件目の未読メールの読み出し要求を送信する（図８のステップＳ３４ａ）。
【００３５】
携帯電話２００のＣＰＵ１１はアンテナ２６と、近距離通信部２５とを経由して端末装置１００が送信した１件目の未読メールの読み出し要求を受信し、ＲＡＭ１３から未読の電子メールのうちの１件目のデータを読み出し、アンテナ２６と、近距離通信部２５とを経由して端末装置１００へこのデータを送信する（図８のステップＳ３４ｂ）。
端末装置１００の制御部１０１は無線部１０２と、アンテナ１０３とを経由して携帯電話２００から１件目の未読メールのデータを受信し、この内容を表示部１０４へ出力して表示する（図６のステップＳ２０８）。ユーザは表示部１０４の表示内容である１件目の未読のメールを確認する。その後、ユーザは必要に応じて端末装置１００に２件目以降の未読メールについても表示を指示し、これを受けて端末装置１００は図８のステップＳ３４ａ〜ｂと同様の処理を繰り返す。
その後、ユーザが端末１００の操作を終了すると、所定の時間経過後に端末装置１００の制御部１０１は端末装置１００の消費電力の節約のため、制御部１０１以外への電源供給を停止する（図６のステップＳ２０９）。
【００３６】
＜着信履歴確認処理＞
図６と、図９とは本処理の流れを表している。図９のステップＳ５２ｂまでと、図６のステップＳ２０６までとは前述のメール読み出し処理と同様である。このため、図９のステップＳ５３以降と、図６のステップＳ２０７以降とに関して説明する。
ユーザは端末装置１００に着信履歴情報の表示を入力キーボード部１０５から指示する（図９のステップＳ５３）。制御部１０１は入力キーボード部１０５を経由してユーザの指示を受け、この指示が携帯電話２００の設定変更の要求ではないことを確認し（図６のステップＳ２０７が”Ｎｏ”）、無線部１０２と、アンテナ１０３とを経由して携帯電話２００へ着信履歴情報を要求する信号を送信する。
【００３７】
携帯電話２００のＣＰＵ１１はアンテナ２６と、近距離通信部２５とを経由して端末装置１００が送信した着信履歴情報を要求する信号を受信し、ＲＡＭ１３から着信履歴情報を読み出し、アンテナ２６と、近距離通信部２５とを経由して端末装置１００へこのデータを送信する。
端末装置１００の制御部１０１は無線部１０２と、アンテナ１０３とを経由して携帯電話２００から着信履歴情報を受信し、この内容を表示部１０４へ出力してユーザに対して表示する（図６のステップＳ２０８、図９のステップＳ５４）。ユーザは表示部１０４の表示内容を確認する。
その後、所定の時間経過後に、端末装置１００の制御部１０１は端末装置１００の消費電力の節約のため、制御部１０１以外への電源供給を停止する（図６のステップＳ２０９）。
【００３８】
＜留守録呼び出し処理＞
図６と、図１０とは本処理の流れを表している。図１０のステップＳ６２ｂまでと、図６のステップＳ２０６までとは前述のメール読み出し処理と同様である。このため、図１０のステップＳ６３以降と、図６のステップＳ２０７以降とに関して説明する。
ユーザは端末装置１００に留守番録音の再生を入力キーボード部１０５から指示する（図１０のステップＳ６３）。制御部１０１は入力キーボード部１０５を経由してユーザの指示を受け、この指示が携帯電話２００の設定変更の要求ではないことを確認し（図６のステップＳ２０７が”Ｎｏ”）、無線部１０２と、アンテナ１０３とを経由して携帯電話２００へ留守録情報を要求する信号を送信する。
【００３９】
携帯電話２００のＣＰＵ１１はアンテナ２６と、近距離通信部２５とを経由して端末装置１００が送信した留守録情報を要求する信号を受信し、ＲＡＭ１３から留守録情報を読み出し、アンテナ２６と、近距離通信部２５とを経由して端末装置１００へこのデータを送信する。
端末装置１００の制御部１０１は無線部１０２と、アンテナ１０３とを経由して携帯電話２００から留守録情報を受信し、留守録情報中の表示用の情報を表示部１０４へ出力してユーザに対して表示し（図６のステップＳ２０８、図１０のステップＳ６４）、また、音源部１０６と、アンプ１０７とを経由してスピーカー部１０９へ留守録情報中の音声データを出力して再生する。
その後、所定の時間経過後に、端末装置１００の制御部１０１は端末装置１００の消費電力の節約のため、制御部１０１以外への電源供給を停止する（図６のステップＳ２０９）。
【００４０】
＜定期自動状態確認処理＞
図６と、図１１とはこの処理の流れを示している。端末装置１００のユーザは、いま、例えばかばんの中に携帯電話２００を収納したまま自動車を運転している。当該ユーザは運転中なので携帯電話２００に電話が入っても受け応えはできないが、電話があったことだけはすぐに知りたい場合がある。このようなケースに対応するため、端末装置１００は定期的に携帯電話２００の状態確認を行う。まず、制御部１０１は端末装置１００の制御部１０１を除く部分についてはバッテリー１１０からの電源供給を停止して電力消費を抑え（図１１のステップＳ８１）、予め決められた時間が経過すると、制御部１０１は制御部１０１を除く部分についても電源供給を再開し、図６のステップＳ２０１〜Ｓ２０３の処理の後で、図６のステップＳ２０４において、定期的な携帯電話２００の状態の自動確認処理であるので、“ｙｅｓ”を選択する。
【００４１】
次に、制御部１０１は無線部１０２と、アンテナ１０３とを経由して携帯電話２００に状態確認要求信号を送信する（図１１のステップＳ８２ａ）。携帯電話２００のＣＰＵ１１はアンテナ２６と、近距離通信部２５とを経由して端末装置１００が送信した状態確認要求信号を受信し、ＲＡＭ１３から着信履歴情報と、留守録情報と、未読の電子メールのデータとをチェックし、着信があったか否かと、メッセージが残されているか否かと、未読の電子メールがあるか否かとの情報を含む状態情報を生成し、これをアンテナ２６と、近距離通信部２５とを経由して端末装置１００へ送信する（図１１のステップＳ８２ｂ）。
【００４２】
端末装置１００の制御部１０１は無線部１０２と、アンテナ１０３とを経由して携帯電話２００から状態情報を受信する。そして、制御部１０１は携帯電話２００に着信があったか否かと、メッセージが残されているか否かと、未読の電子メールがあるか否かとについてチェックし、いずれかに該当する場合には、音源部１０６に楽音情報の出力要求を出力する。ただし、制御部１０１は携帯電話２００に着信があった場合と、メッセージが残されている場合と、未読の電子メールがある場合とではそれぞれ異なる楽音を要求する。
音源部１０６は制御部１０１からの要求を入力して音源部１０６内部の記憶領域に格納されている楽曲データを読み出して楽音信号を生成し、アンプ１０７へ出力する。アンプ１０７は音源部１０６からの楽曲信号を増幅してスピーカー部１０９へ出力する。スピーカー部１０９はアンプ１０７からアナログ信号を入力して音を出す（図６のステップＳ２１４、図１１のステップＳ８３）。ユーザはこの音を聞き、携帯電話２００に残された着信やメッセージ、あるいは未読の電子メールの存在を知ることができる。その後、制御部１０１は再度制御部１０１を除く端末装置１００の各機能への電力供給を停止する（図６のステップＳ２１５）。
【００４３】
ここで、制御部１０１は受信した状態情報中に着信と、メッセージと、未読のメールとがいずれも前回自動確認した時と比べて変化が無い場合には（図６のステップＳ２１３が”Ｎｏ”）、再度制御部１０１を除く端末装置１００の各機能への電力供給を停止する（図６のステップＳ２１５）。端末装置１００はこの一連の処理を所定の時間間隔で繰り返す。
【００４４】
＜携帯電話設定変更処理＞
端末装置１００のユーザは、いま、例えばかばんの中に携帯電話２００を収納し、満員電車に乗っている。当該ユーザは携帯電話２００をマナーモードにしていないことを思い出し、携帯電話２００の設定をマナーモードに変更する場合がある。しかし、満員電車の中でかばんを開け、かばんの中から携帯電話２００を探し出すことは周囲の乗客にとっては迷惑となることがある。このような場合に、ユーザは端末装置１００を使用して携帯電話２００の設定変更を行う。図６と、図１２とはこの処理の流れを示しているが、図１２のステップＳ９２ｂまでと、図６のステップＳ２０６までとは前述のメール読み出し処理と同様である。このため、図１２のステップＳ９３ａ以降と、図６のステップＳ２０７以降とに関して説明する。
【００４５】
ユーザは端末装置１００に携帯電話２００の設定変更（設定変更の開始要求）を入力キーボード部１０５から指示する。制御部１０１は入力キーボード部１０５を経由してユーザの指示を受け、この指示が携帯電話２００の設定変更の要求であることを確認し（図６のステップＳ２０７が”Ｙｅｓ”）、無線部１０２と、アンテナ１０３とを経由して携帯電話２００へ設定情報を要求する信号を送信する（図１２のステップＳ９３ａ）。
【００４６】
携帯電話２００のＣＰＵ１１はアンテナ２６と、近距離通信部２５とを経由して端末装置１００が送信した設定情報を要求する信号を受信し、ＲＡＭ１３から設定情報を読み出し、アンテナ２６と、近距離通信部２５とを経由して端末装置１００へこのデータを送信する（図１２のステップＳ９３ｂ）。
端末装置１００の制御部１０１は無線部１０２と、アンテナ１０３とを経由して携帯電話２００から設定情報を受信し、この内容を表示部１０４へ出力してユーザに対して表示する（図６のステップＳ２１６）。ユーザは表示部１０４の表示内容を確認し、マナーモードへの変更を入力キーボード部１０５から指示する。
【００４７】
制御部１０１は入力キーボード部１０５を経由してユーザの指示を受け、無線部１０２と、アンテナ１０３とを経由して携帯電話２００へマナーモードへの設定変更を要求する設定変更信号を送信する（図１２のステップＳ９４ａ）。
携帯電話２００のＣＰＵ１１はアンテナ２６と、近距離通信部２５とを経由して端末装置１００が送信した設定変更信号を受信し、ＲＡＭ１３の設定情報をマナーモードに書き換え、アンテナ２６と、近距離通信部２５とを経由して端末装置１００へ“変更完了”を送信する（図１２のステップＳ９４ｂ）。
【００４８】
端末装置１００の制御部１０１は無線部１０２と、アンテナ１０３とを経由して携帯電話２００から“変更完了”を受信し、これを表示部１０４へ出力してユーザに対して表示する。
その後、所定の時間経過後に、端末装置１００の制御部１０１は端末装置１００の消費電力の節約のため、制御部１０１以外への電源供給を停止する（図６のステップＳ２１７）。
【００４９】
以上、図面を参照して本発明の実施形態について詳述してきたが、具体的な構成はこの実施の形態に限られるものではなく、この発明の要旨を逸脱しない範囲の設計変更等も含まれる。例えば、端末装置１００の無線部１０２と、携帯電話２００の近距離通信部２５とはＢｌｕｅｔｏｏｔｈに準拠した無線機能であってもよい。
また、本実施の形態において、着信音オフおよび着信情報表示処理と、メール読み出し処理と、着信履歴確認処理と、留守録呼び出し処理と、定期自動状態確認処理と、携帯電話設定変更処理とは各々独立した処理であり、これらの処理の後、端末装置１００の電源は処置の時間経過後に自動的に切れることとして説明したが、これらの処理のうちいくつかを端末装置１００の電源を切らない状態で連続して行えることとしてもよい。即ち、ユーザは端末装置１００に着信音オフおよび着信情報表示処理を要求した後、すぐにメール読み出し処理を端末装置１００に行わせてもよい。これにより、１つ１つの処理の終了の度に端末装置１００の電源が切れ、その都度ユーザが電源を入れなおすといった煩わしい操作が必要なくなる効果がある。
また、本実施の形態においては各処理の終了後に所定の時間が経過すると、制御部１０１を除いて電源の供給を停止した。これは電力消費の抑制と、定期自動状態確認処理のためであるが、定期的にメールや着信の有無を確認する必要がないため定期自動状態確認処理が必要でないユーザのために、端末装置１００の電源を制御部１０１も含めて停止してもよい。
【図面の簡単な説明】
【００５０】
【図１】この発明の一実施形態による端末装置の構成を表すブロック図である。
【図２】この発明の一実施形態による端末装置のボタン配置を表す図である。
【図３】この発明の一実施形態による端末装置の通信処理のためのソフトウェア構成を表す図である。
【図４】この発明の一実施形態における携帯電話の構成を表すブロック図である。
【図５】この発明の一実施形態による端末装置の通信処理の流れを表す図である。
【図６】この発明の一実施形態による端末装置の処理の流れを表すフローチャートである。
【図７】この発明の一実施形態による端末装置の着信音オフおよび着信情報表示処理の流れを表す図である。
【図８】この発明の一実施形態による端末装置のメール読み出し処理の流れを表す図である。
【図９】この発明の一実施形態による端末装置の着信履歴確認処理の流れを表す図である。
【図１０】この発明の一実施形態による端末装置の留守録呼び出し処理の流れを表す図である。
【図１１】この発明の一実施形態による端末装置の定期自動状態確認処理の流れを表す図である。
【図１２】この発明の一実施形態による端末装置の携帯電話設定変更処理の流れを表す図である。
【符号の説明】
【００５１】
１１…ＣＰＵ、１２…ＲＯＭ、１３…ＲＡＭ、１４…ディスプレイ、１５…操作部、１６…バイブレータ、１８…通信部、１９…アンテナ、２０…音声処理部、２１…マイクロフォン、２２…スピーカー、２３…着信音発生部、２４…スピーカー、２５…近距離通信部、２６…アンテナ、１００…携帯電話用無線端末装置、１０１…制御部、１０２…無線部（第２の制御部、第３の制御部、第４の制御部、第５の制御部、第６の制御部、第７の制御部、制御機能部分）、１０３…アンテナ、１０４…表示部、１０５…入力キーボード部、１０６…音源部、１０７…アンプ、１０８…メモリー、１０９…スピーカー部、１１０…バッテリー、１２０…確認ボタン（電源投入手段）、１２１ａ、１２１ｂ…選択ボタン、２００…携帯電話
【図１】
2008136196.tif 000003
【図２】
2008136196.tif 000004
【図３】
2008136196.tif 000005
【図４】
2008136196.tif 000006
【図５】
2008136196.tif 000007
【図６】
2008136196.tif 000008
【図７】
2008136196.tif 000009
【図８】
2008136196.tif 000010
【図９】
2008136196.tif 000011
【図１０】
2008136196.tif 000012
【図１１】
2008136196.tif 000013
【図１２】
2008136196.tif 000014